【手続補正書】
【提出日】平成16年6月4日(2004.6.4)
【手続補正１】
【補正対象書類名】明細書
【補正対象項目名】特許請求の範囲
【補正方法】変更
【補正の内容】
【特許請求の範囲】
【請求項１】  既知の前の論理状態から着信信号の変化を検出する方法であって、
発振基準を取得するステップと、
着信信号を受信するステップと、
着信信号に対して発振基準を比較して既知の前の論理状態に対する着信信号の変化を検出するステップとを含む方法。
【請求項２】  前の論理状態から着信信号の変化を検出するシステムであって、
それぞれ発振基準と着信信号を受信する第１および第２の入力ターミナルと、
論理的に前の論理状態に等しい出力信号を提供する出力ターミナルと、
基準と着信信号を比較して第１の結果を生成するために第１および第２の入力ターミナルに結合された第１のコンパレータと、
前の論理状態に基づいて第１の結果を出力ターミナルに結合するために第１のコンパレータに結合された第１の制御装置とを含むシステム。
【請求項３】  前の論理状態から着信信号の変化を検出するシステムであって、
論理的に前の論理状態に等しい出力信号を提供する出力ターミナルと、
着信信号と発振基準の差を増幅して第１の結果を生成する第１の増幅器と、
着信信号と発振基準の補数の差を増幅して第２の結果を生成する第２の増幅器と、
第１の基準に基づいて第１の結果を出力ターミナルに結合するために第１の増幅器に結合された第１のスイッチと、
第２の基準に基づいて第２の結果を出力ターミナルに結合するために第２の増幅器に結合された第２のスイッチと、
発振基準と出力信号の比較に基づいて第１の基準を制御する第１の制御装置と、
補数と出力結果の比較に基づいて第２の基準を制御する第２の制御装置とを含むシステム。
【請求項４】  第１発振基準ならびに受信器への新しい信号を伝送するトランスミッタと、
第１の発振基準、第２の発振基準および新しい信号を受信器に伝送する、トランスミッタに結合された伝送路と、
第１の発振基準、第２の発振基準及び前の信号を取得し、新しい信号と発振基準の一つとの比較に基づいて新しい信号の既知の前の論理状態から新しい信号の変化を検出するために伝送路に結合された受信器とを含む通信システム。
【請求項５】  既知の前の論理状態から着信信号の変化を検出する信号受信システムであって、
（ａ）論理的に前の論理状態と等しい出力信号を提供する出力ターミナルと、
（ｂ）（ｉ）着信信号に対して発振基準を比較して第１の結果を生成する第１のコンパレータと、
（ｉｉ）第１の結果を出力ターミナルに結合するために第１のコンパレータに結合された第１のスイッチと、
（ｉｉｉ）出力信号に対して発振基準を比較して第１のスイッチを制御する制御信号を生成するために第１のスイッチに結合された第１の制御装置とを含む第１の受信器と、
（ｃ）（ｉ）着信信号に対して発振基準補数を比較して第２の結果を生成する第２のコンパレータと、
（ｉｉ）第２の結果を出力ターミナルに結合するために第２のコンパレータに結合された第２のスイッチと、
（ｉｉｉ）出力信号に対して発振基準補数を比較して第２のスイッチを制御する制御信号を生成するために第２のスイッチに結合された第２の制御装置とを含む、第１の受信器と並列した第２の受信器とを含む信号受信システム。
【請求項６】  スルー・レートが発振基準のサイクル期間の約半分である発振源同期電圧およびタイミング基準を生成する発生器と、
信号および発振基準を受信器に伝送するために発生器に結合されたトランスミッタを含む伝送システム。
【請求項７】  着信信号と前の論理状態とを比較する方法であって、
発振基準と発信基準の補数を取得するステップと、
着信信号を受信するステップと、
第１のコンパレータにより着信信号に対して発振基準を比較して第１の結果を生成するステップと、
第２のコンパレータにより着信信号に対して補数を比較して第２の結果を生成するステップと、
前の論理状態に基づいて制御信号を使用して、第１の結果と第２の結果のいずれを出力信号として受け渡すかを制御するステップとを含む方法。
【請求項８】  小スイング単一端信号を伝送および受信する方法であって、
小スイング単一端信号を発信源から受信器に伝送すること、
単一端信号が変化するときに単一端信号として実質的に同じスルー・レートを有する第１発振基準を発信源から受信器に伝送すること、
発信源から受信器に第１発信基準に相補的な第２発信基準を伝送すること、
信号および発振基準を受信器で受信すること、
信号と発振基準の一つを比較することによって出力を生成すること、
信号が変化するときに、出力を受信器出力ターミナルに結合すること、
および信号が変化しないときは受信器出力ターミナルから出力の結合を断つことを含む方法。
【請求項９】  小スイング単一端信号を伝送および受信する方法であって、
発信源から第１のコンパレータ、第２のコンパレータ及び出力ターミナルを含む受信器に小スイング単一端信号を伝送するステップと、
単一端信号が変化するときに、単一端信号として実質的に同じスルー・レートを有する一組の相補発振基準を発信源から受信器に伝送するステップと、
信号と発振基準を受信器で受信するステップと、
出力ターミナル上の現行の論理値および発振基準に基づく値に基づいてコンパレータの１つを出力ターミナルに結合するステップと、
他のコンパレータの結合を断つステップとを含む方法。
【請求項１０】  マスタ・エンドおよびスレーブ・エンドを有する制御バスと、
マスタ・エンドおよびスレーブ・エンドを有する第１の基準バスと、
第１の基準バスのマスタ・エンドに結合されて発振基準を伝送する第１の基準トランスミッタと、
マスタ・エンドおよびスレーブを有するデータ・バスと、
マスタ・エンドおよびスレーブ・エンドを有する第２の基準バスと、
第２の基準バスのマスタ・エンドに結合されて発振基準を伝送する第２の基準トランスミッタと、
第２の基準バスのスレーブ・エンドに結合されて発振基準を伝送する第３の基準トランスミッタと、
制御信号を制御バスに伝送するために制御バスのマスタ・エンドに結合され、制御信号に関連する第１のデータ信号をデータ・バスに伝送したり、制御信号に応答してデータ・バスから第２のデータ信号を受信するためにデータ・バスのマスタ・エンドに結合され、第３の基準トランスミッタからの発振基準を受信および使用して第２のデータ信号の変化を検出するために第２の基準バスのマスタ・エンドに結合されたマスタ・デバイスと、
マスタ・デバイスから制御信号を受信するために制御バスのスレーブ・エンドに結合され、第１の基準トランスミッタからの発振基準を受信す、かつ使用して制御信号の変化を検出するために第１の基準バスのスレーブ・エンドに結合され、制御信号に関連する第１のデータ信号をマスタ・デバイスから受信したり、制御信号に応答する第２のデータ信号をマスタ・デバイスに伝送するためにデータ・バスのスレーブ・エンドに結合され、第２の基準トランスミッタからの発振基準を受信および使用して第１のデータ信号の変化を検出するために第２の基準バスのスレーブ・エンドに結合されたスレーブ・デバイスとを含むシステム。
【請求項１１】  マスタ・デバイスを使用して制御信号を制御バスを介して第１のスレーブ・デバイスに伝送すること、
制御信号の変化を検出する第１の発振基準を第１の基準バスを介して第１のスレーブ・デバイスに伝送すること、
マスタ・デバイスを使用して制御信号に関連する第１のデータ信号を第１のデータ・バスを介して第１のスレーブ・デバイスに伝送すること、
および第１のデータ信号の変化を検出する第２の発振基準を第２の基準バスを介して第１のスレーブ・デバイスに伝送することを含む方法。
【請求項１２】  マスタ・デバイスから制御バスを介して制御信号を受信すること、
制御信号の変化を検出する第１の発振基準を第１の基準バスを介して受信すること、
マスタ・デバイスから第１のデータ・バスを介して制御信号に関連する第１のデータ信号を受信すること、
および第１のデータ信号の変化を検出する第２の発振基準を第２の基準バスを介して受信することを含む方法。
【請求項１３】  マスタ・デバイスを使用して制御信号を制御バスを介して第１のスレーブ・デバイスに伝送すること、
制御信号の変化を検出する第１の発振基準を第１の基準バスを介して第１のスレーブ・デバイスに伝送すること、
マスタ・デバイスを使用して、制御信号に応答する第１のデータ信号を第１のデータ・バスを介して第１のスレーブ・デバイスから受信すること、
およびマスタ・デバイスを使用して、第１のデータ信号の変化を検出する第２の発振基準を第２の基準を介して第１のスレーブ・デバイスから受信することを含む方法。
【請求項１４】  マスタ・デバイスから制御バスを介して制御信号を受信すること、
制御信号の変化を検出する第１の発振基準を第１の基準バスを介して受信すること、
制御信号に応答するデータ信号をデータ・バスを介してマスタ・デバイスに伝送すること、
およびデータ信号の変化を検出する第２の発振基準を第２の基準バスを介してマスタ・デバイスに伝送することを含む方法。
【請求項１５】  制御バス・ポートと、
第１の基準バス・ポートと、
発振基準を伝送する第１の基準バスに結合された第１の基準トランスミッタと、
第１のデータ・バス・ポートと
第２の基準バス・ポートと、
発振基準を伝送する第２の基準バス・ポートに結合された第２の基準トランスミッタと、
制御信号を制御バス・ポートに伝送するために制御バス・ポートに結合され、制御信号に関連する第１のデータ信号を第１のデータ・バス・ポートに伝送したり、制御信号に応答する第２のデータ信号を第１のデータ・バス・ポートから受信するために第１のデータ・バス・ポートに結合され、第２の基準バス・ポートからの着信発振基準を受信および使用して第２のデータ信号の変化を検出するために第２の基準バス・ポートに結合されたマスタ・デバイスとを含むシステム。
【請求項１６】  制御バス・ポートと、
第１の基準バス・ポートと、
データ・バス・ポートと、
第２の基準バス・ポートと、
発振基準を第２の基準バス・ポートに伝送するために第２の基準バス・ポートに結合された第１の基準トランスミッタと、
制御信号を制御バス・ポートから受信するために制御バス・ポートに結合され、第１の基準バス・ポートからの発振基準を受信および使用して制御信号の変化を検出するために第１の基準バス・ポートに結合され、制御信号に関連する第１のデータ信号をデータ・バス・ポートから受信したり、制御信号に応答する第２のデータ信号をデータ・バス・ポートに伝送するためにデータ・バス・ポートに結合され、第２の基準バス・ポートからの発振基準を受信および使用してデータ信号の変化を検出するために第２の基準バス・ポートに結合された第１のスレーブ・デバイスとを含むシステム。
【請求項１７】  制御信号を制御バスを介して第１のスレーブ・デバイスに伝送する手段と、
制御信号の変化を検出する第１の発振基準を第１の基準を介して第１のスレーブ・デバイスに伝送する手段と、
制御信号に関連する第１のデータ信号を第１のデータ・バスを介して第１のスレーブ・デバイスに伝送する手段と、
第１のデータ信号の変化を検出する第２の発振基準を第２の基準バスを介して第１のスレーブ・デバイスに伝送する手段とを含むシステム。
【請求項１８】  制御信号を制御バスを介してマスタ・デバイスから受信する手段と、
制御信号の変化を検出する第１の発振基準を第１の基準バスを介して受信する手段と、
制御信号に関連する第１のデータ信号を第１のデータ・バスを介してマスタ・デバイスから受信する手段と、
第１のデータ信号の変化を検出する第２の発振基準を第２の基準バスを介して受信する手段とを含むシステム。
【請求項１９】  制御信号を制御バスを介して第１のスレーブ・デバイスに伝送する手段と、
制御信号の変化を検出する第１の発振基準を第１の基準バスを介して第１のスレーブ・デバイスに伝送する手段と、
制御信号に応答する第１のデータ信号を第１のデータ・バスを介して第１のスレーブ・デバイスから受信する手段と、
第１のデータ信号の変化を検出する第２の発振基準を第２の基準バスを介して第１のスレーブ・デバイスから受信する手段とを含むシステム。
【請求項２０】  制御信号を制御バスを介してマスタ・デバイスから受信する手段と、
制御信号の変化を検出する第１の発振基準を第１の基準バスを介して受信する手段と、
制御信号に応答するデータ信号をデータ・バスを介してマスタ・デバイスに伝送する手段と、
データ信号の変化を検出する第２の発振基準を第２の基準バスを介してマスタ・デバイスに伝送する手段とを含むシステム。
【請求項２１】  第１の信号伝送線で第１の一組の信号を伝送するためにその第１の信号伝送線に接続された第１の信号回路と、
第１の基準伝送線で一対の第１の相補発振電圧基準を伝送するためにその第１の基準伝送線に接続された第１基準回路であって、前記一対の第１の相補発信電圧基準は、第１信号伝送線と第１基準伝送線とに接続された受信器による信号の第１の組に対する比較のためのものであって、その比較が信号の第１の組のレベルを変えることができる第１基準回路とを含む伝送システム。